(57)【要約】【課題】図面上での接続関係に基づき生成する設備間の接続情報を用いることなく、既存ＣＡＤ図面を用いて作業停電範囲のシミュレーションを可能にした作業停電操作手順作成支援装置を得るものである。【解決手段】設備に対するＣＡＤシンボルによって表わされ、図面表示部１１に表示されたＣＡＤ図面のＣＡＤシンボルの幾何的情報から、充停電状態判定部１４により、設備間の接続状態を判定し、判定された設備間の接続状態及び設備状態抽出部１３によって抽出された設備の状態から、充停電状態判定部１４により、設備の充停電状態を判定して、判定された設備の充停電状態に基づき、作業停電手順作成部１９により、ＣＡＤ図面を用いて、設備に対する操作設定を行い、作業停電範囲を特定するようにしたものである。【選択図】　　　　図１
2004135394.tif 000002
【特許請求の範囲】
【請求項１】
設備をＣＡＤシンボルによって表わしたＣＡＤ図面を表示する図面表示部、上記設備の状態を抽出する設備状態抽出部、上記ＣＡＤ図面の幾何的情報から設備間の接続状態を判定すると共に上記判定された設備間の接続状態及び上記設備状態抽出部によって抽出された上記設備の状態から上記設備の充停電状態を判定する充停電判定部、及び上記充停電判定部によって判定された上記設備の充停電状態に基づき、上記図面表示部に表示されたＣＡＤ図面を用いて、上記設備に対する操作設定を行い、作業停電範囲を特定する作業停電手順作成部を備えたことを特徴とする作業停電操作手順作成支援装置。
【請求項２】
上記作業停電手順作成部は、上記設備に対する操作設定についてシミュレーションするよう構成されていることを特徴とする請求項１記載の作業停電操作手順作成支援装置。
【請求項３】
上記シミュレーションに用いられた上記設備に対する操作設定を保存する設定パターン保存部を備えたことを特徴とする請求項２記載の作業停電操作手順作成支援装置。
【請求項４】
上記設定パターン保存部に保存された上記設備に対する操作設定を提示する設定パターン提示部を備え、上記作業停電手順作成部は、上記設定パターン提示部によって提示された上記設備に対する操作設定を用いて、新たに設備に対する操作設定を行うことを特徴とする請求項３記載の作業停電操作手順作成支援装置。
【請求項５】
上記設備の操作前提条件を抽出する設備情報抽出部、及びこの設備情報抽出部によって抽出された上記設備の操作前提条件を用いて、上記設備に対する操作設定の妥当性を判定する操作可否判定部を備えたことを特徴とする請求項１〜請求項４のいずれかに記載の作業停電操作手順作成支援装置。
【請求項６】
上記操作可否判定部は、上記設備に対する操作設定の妥当性がないと判定した場合には、妥当な操作設定にするために必要な操作前作業を提示することを特徴とする請求項５記載の作業停電操作手順作成支援装置。
【請求項７】
上記設備情報抽出部は、上記作業停電手順作成部によって操作設定された上記設備の関連情報を提示することを特徴とする請求項５または請求項６記載の作業停電操作手順作成支援装置。
【請求項８】
設備をＣＡＤシンボルによって表わしたＣＡＤ図面の幾何的情報を用いて判定された設備間の接続状態及び設備状態抽出部によって抽出された上記設備の状態から上記設備の充停電状態を判定し、上記判定された上記設備の充停電状態に基づき、上記ＣＡＤ図面を用いて、上記設備に対する操作設定を行い、作業停電範囲を特定することを特徴とする作業停電操作手順作成方法。
【請求項９】
上記設備に対する操作設定は、シミュレーションされることを特徴とする請求項８記載の作業停電操作手順作成方法。
【発明の詳細な説明】
【０００１】
【発明の属する技術分野】
この発明は、図面、設備仕様等の設備データを用いた設備情報処理技術に基づき、作業停電操作手順の作成を支援する作業停電操作手順作成支援装置及び作業停電操作手順を作成する作業停電操作手順作成方法に関するものである。
【０００２】
【従来の技術】
例えば保守作業のための停電範囲を特定する作業停電操作手順作成に用いられる従来の充停電判定のシミュレーションでは、予め設備間接続情報（以後、論理的接続情報と呼ぶ）や電気的な流れの方向情報等を作成し、それを用いて充停電範囲をシミュレーションしている。このような手法は、例えば特許文献１の「系統における設備充停電判定方法」や特許文献２の「オブジェクトの連係による配電網の充停電状態演算方法」に示されている。
一方、従来の作業停電手順作成方法では、各設備の開閉状態のみを入力している上、図面等を用いて視覚的に設定状態を確認してはいない。このような手法は、特許文献３の「配電系統における作業停電操作手順作成方法及び配電自動化装置」に示されている。
【０００３】
【特許文献１】
特開平５−３００６５６号公報（段落番号０００９〜００１９、図１）
【特許文献２】
特開平９−１６８２３９号公報（第３〜４頁、図１）
【特許文献３】
特開平９−１４００５８号公報（第３〜４頁、図１）
【０００４】
【発明が解決しようとする課題】
前記のような充停電判定のシミュレーションでは、処理に先立ち論理的接続情報を作成したり、例えば系統図等の図面修正の度に、図面と論理的接続情報との整合性を確認する必要があった。特に、電力プラント等の大規模プラントにおいては、図面修正が頻繁に発生するため、このような整合性の確認忘れなどのヒューマンエラーが発生し、作業計画の立案に影響が出るという問題点があった。
また、前記のような作業停電手順作成方法では、例えばインタロック条件を満たすか否かが判断できないため、条件を満たさない場合に実施すべき操作前処理が提示されず、現場作業時に誤操作の危険性がある上、場合によっては手順の再生成が必要になるなどの問題点があった。
【０００５】
この発明は、上述のような課題を解決するためになされたものであり、第１の目的は、図面上での接続関係に基づき生成する設備間の接続情報を用いることなく、既存ＣＡＤ図面を用いて作業停電範囲のシミュレーションを可能にした作業停電操作手順作成支援装置を得るものである。
また、第２の目的は、そのような作業停電操作手順作成方法を得るものである。
【０００６】
【課題を解決するための手段】
この発明に係わる作業停電操作手順作成支援装置においては、設備をＣＡＤシンボルによって表わしたＣＡＤ図面を表示する図面表示部と、設備の状態を抽出する設備状態抽出部と、ＣＡＤ図面の幾何的情報から設備間の接続状態を判定すると共に判定された設備間の接続状態及び設備状態抽出部によって抽出された設備の状態から設備の充停電状態を判定する充停電判定部と、充停電判定部によって判定された設備の充停電状態に基づき、図面表示部に表示されたＣＡＤ図面を用いて、設備に対する操作設定を行い、作業停電範囲を特定する作業停電手順作成部を備えたものである。
【０００７】
また、この発明に係わる作業停電操作手順作成方法においては、設備をＣＡＤシンボルによって表わしたＣＡＤ図面の幾何的情報を用いて判定された設備間の接続状態及び設備状態抽出部によって抽出された設備の状態から設備の充停電状態を判定し、判定された設備の充停電状態に基づき、ＣＡＤ図面を用いて、設備に対する操作設定を行い、作業停電範囲を特定するものである。
【０００８】
【発明の実施の形態】
実施の形態１．
図１は、この発明の実施の形態１による作業停電操作手順作成支援装置の全体構成を示すブロック図である。
図１において、１１は図面表示部であり、対象システムの各構成要素に対応した図形要素を用いてシステム構成状態を表現したＣＡＤ図面を表示するとともに、作業停電操作手順作成時には、各設備の操作状態の設定、設定状態に基づく充停電シミュレーション結果もあわせて表示する。１２は領域近傍生成部であり、ＣＡＤ図面より選択された一つの図形要素の全体を含む閉領域である領域近傍を、選択された図形要素の幾何的情報と事前に定義されたオフセット値に基づき生成する。１３は設備状態抽出部であり、設備の現状態を自動抽出する。１４は充停電状態判定部であり、ＣＡＤ図面において充電部と接続している図形要素を順次辿りつつ、例えば、配管等に対応した図形要素の場合は、充電と判定し、一方、開閉器等の設備に対応した図形要素については、その設備の開閉状態に基づき、開なら停電、閉なら充電と判定し、図面として表示された範囲における充停電状態を決定する。
【０００９】
１５は設備情報抽出部であり、各設備に対する設備仕様データ、設備更新履歴データ及びインタロック条件等のような操作のための条件データなどを抽出し提示する。１６は操作可否判定部であり、設備状態抽出部１３から提示される該当設備に関する状態と設備情報抽出部１５から提示される操作のための条件データに基づき、操作の妥当性を判断する。１７は設定パターン保存部であり、作業停電手順作成に先立ち、図面を用いて設定された操作対象設備の状態を設定パターンとして登録し、保存する。１８は設定パターン提示部であり、シミュレーションパターン設定時に、これまでに設定パターン保存部１７で保存されたパターンデータに基づき、ユーザが選択したシミュレーション設定パターンの内容、例えば、図面の該当設備の操作状態を視覚的に提示する。１９は作業停電手順作成部であり、設備情報抽出部１５、操作可否判定部１６、設定パターン保存部１７などから、設定パターンとして登録された操作対象設備について、各設備に対する操作設定状態及び必要に応じて、例えば、インタロック解除などの操作前処理についてのデータを生成する。なお、これらの各構成要素は、例えば、各構成要素の動作をプログラムしたものをコンピュータに実装し、動作させることができる。
【００１０】
次に、図１の全体の動作について説明する。
一例として、充停電状態判定部１４はオンライン系で動作し、作業停電手順作成部１９は、オフライン系で動作すると想定する。一方、機能的にみれば、充停電判定で利用されるアルゴリズムは、作業停電手順生成部１９におけるシミュレーションで利用される。
【００１１】
まず、オンライン系での全体動作について述べる。
図面表示部１１により、充停電を判定すべきＣＡＤ図面を表示する。次に、その図面に記載された設備について、例えば開閉操作などを、設備状態抽出部１３によって抽出する。充停電判定部１４においては、ＣＡＤ図面におけるＣＡＤシンボル間の幾何的接続状態や設備状態を組み合わせることにより、リアルタイムな充停電判定を行う。ここで、前記設備状態としては、例えばプラントの監視・制御システム等で利用される、各設備のプロセスデータベースを利用することも可能である。
【００１２】
次に、オフライン系での全体動作について述べる。
図面表示部１１により、作業停電手順の生成のために参照すべきＣＡＤ図面を表示する。オフライン系で処理する際、オンライン系からオフライン系へ切り替えた時点でのプラント状態を設備状態として保存し、それは、設備状態抽出部１３で利用される。設備状態抽出部１３と充停電状態判定部１４の組み合わせにより、オフライン系へ切り替えた時点での充停電状態を把握可能である。オフライン系では、充停電状態に基づき、例えば設備の開閉操作などを個別に設定し、保守作業に最適な停電範囲を検討する。設備に対する操作設定において、過去にＣＡＤ図面内の設備に対して操作を設定した実績があれば、設定パターン提示部１８により、その設定パターンを提示する。また、新たなパターンを設定する場合は、例えばマウスなどのポインティングデバイスにより設定対象設備を選択し、開閉操作を設定する。その際、設備情報抽出部１５や操作可否判定部１６により、設定の妥当性を検証しながら設定を行う。ここで入力された設定パターンは、設定パターン保存部１７により保存管理され、次回から、設定パターン提示部１８により提示される。
【００１３】
次に、シミュレーションについて説明する。
シミュレーションは、図１の作業停電手順生成部１９で行われる。
次いで、シミュレーションの目的について述べる。シミュレーションは、オフライン系での処理である。シミュレーションは、図面を参照して、任意の設備に対して操作設定を行いながら、その設定が妥当であるか、つまり、電源が必要なエリアを停電する操作になっていないか、逆に停電可能なエリアが充電されていないかなどの妥当性のチェックをして、最適な設定パターンを模索、検討するのに用いられる。
本発明では、設定状態とＣＡＤシンボル間の幾何的な接続状態から、ＣＡＤ図面に対し、充停電状態を視覚的に表示できるため、適切な設定パターンの決定を支援することができる。
【００１４】
実施の形態１によれば、従来、図面上での接続関係に基づき生成していた設備間の接続情報を用いることなく、既存ＣＡＤ図面を用いて作業停電範囲のシミュレーションが可能である。
さらに、過去実施したシミュレーションについて、該当設備の操作状態を図面に反映することにより、設定内容を視覚的に確認できるため、設定ミスを防ぐことができる。
また、該当設備に対する設定情報、現在の設備状態及び操作のための前提条件を総合的に加味して、設定の妥当性を検証するため、誤操作を含む設定などを排除することが可能である。
さらに、操作対象の設備について、操作情報のみならず、例えばインタロック条件等のような操作前に必要な処理もあわせて提示、または手順書へ反映させることができる。従って、現場において、安全にかつスムーズに設備操作作業が行える。
【００１５】
実施の形態２．
図２は、この発明の実施の形態２による作業停電操作手順作成支援装置の充停電状態判定（方法１）を示すフローチャートである。
図３は、この発明の実施の形態２による作業停電操作手順作成支援装置の充停電状態判定を開始するシンボルの選択例を示す図である。
図４は、この発明の実施の形態２による作業停電操作手順作成支援装置の領域近傍の例を示す図である。
図１のように構成されたものにおける充停電状態判定部１４の充停電状態判定動作（方法１）は、図２のフローチャートに示すように行われる。
まず、例えば操作者が入力手段（図示せず）からの入力により、ＣＡＤ図面において、操作設定を行なう設備をシンボルで選択し、その設定を指定する（ステップＳ１）。次に、該当図面内の設備において、その現状態が閉であり、かつ例えば図３のような座標系においては、設備を表現した図形要素のうち、Ｙ座標値が最大な図形要素を抽出する（ステップＳ２）。
【００１６】
さらに、図３に示すように、その図形要素を含む横長な領域を生成し、それに含まれる図形要素も抽出する。この一連の処理により抽出された図形要素を該当図面内における電源ソースとみなし、まずＹ座標値最大の設備シンボルを領域作成対象としてリストへ追加する（ステップＳ３）。次に、リスト内要素について未抽出要素の有無を判定し（ステップＳ４）、もし未抽出要素があれば、それを近傍生成対象としてセットする（ステップＳ５）。次に、領域近傍作成対象に対し、それを全て含む閉領域である領域近傍を図形要素の幾何的情報と事前に定義されたオフセット値により生成する（ステップＳ６）。図４にその例を示す。
【００１７】
次に、生成された領域近傍内に他の図形要素の一部が含まれるかどうか（図４のア、イに相当）を判定し（ステップＳ７）、その一部が含まれる図形要素（図４の線分１、線分２に相当）がある場合は、これを接続図形要素として抽出する。次に、抽出された図形要素について、それが線分、円等のように設備を表現した図形要素である場合は、それを検索対象リストへ保持する（ステップＳ３）。一方、ステップＳ９で、それが開閉器等のように設備を表現した図形要素の場合は、その設備の現状態に基づき、例えば開閉状態などを抽出する。ここで、その設備が開状態であれば、その設備を起点とした検索は中止する。一方閉状態であれば検索対象リストへ保持する（ステップＳ３）。検索対象リストのデータが無くなるまで前記処理を繰り返す（ステップＳ４）。
【００１８】
実施の形態２によれば、図面内に含まれる図形要素同士の幾何的情報のみを用いて接続状態を判定するため、従来の方法で利用している設備間の接続情報を図面などから生成する必要がない上、図面変更の度に図面と設備間接続情報の整合性を確認するなどの煩雑な作業も不要である。
【００１９】
実施の形態３．
図５は、この発明の実施の形態３による作業停電操作手順作成支援装置の充停電状態判定（方法２）を示すフローチャートである。
図６は、この発明の実施の形態３による作業停電操作手順作成支援装置の充停電状態判定（方法２）におけるレイヤ制御の例を示す図である。
図１のように構成されたものにおける充停電状態判定部１４の充停電状態判定の動作（方法２）は、図５のフローチャートに示すように行われる。
まず、例えば操作者が入力手段（図示せず）からの入力により、ＣＡＤ図面において、操作設定を行う設備をシンボルで選択し、その設定を指定する（ステップＳ１１）。この際、例えば閉設定のシンボル及び配管等はレイヤ１に、開設定のシンボルはレイヤ２に描画することとする（ステップＳ１２）。次に、該当図面内の設備において、その現状態が閉であり、かつ例えば図３のような座標系においては、設備に対応した図形要素が配置されたＹ座標値が最大な図形要素を抽出する（ステップＳ１４）。
【００２０】
さらに、図３に示すように、その図形要素を含む横長な領域を生成し、それに含まれる図形要素も抽出する。この一連の処理により抽出された図形要素を該当図面内における電源ソースとみなし、複数の場合は、そのうちのいずれかを領域近傍作成対象としてリストへ追加する（ステップＳ１５）。次に、リスト内要素について未抽出要素の有無を判定し（ステップＳ１６）、もし未抽出要素があれば、それを近傍生成対象としてセットする（ステップＳ１７）。次に、領域近傍作成対象に対し、それを全て含む閉領域である領域近傍を図形要素の幾何的情報と事前に定義されたオフセット値により生成する（ステップＳ１８）。以後の処理では、レイヤ２を非表示とする（ステップＳ１３）。この場合の図面表示の例を図６に示す。
【００２１】
次に、領域近傍作成対象に対し、それを全て含む閉領域である領域近傍を図形要素の幾何情報と事前に定義されたオフセット値により生成した（ステップＳ１８）後、生成された領域近傍内に他の図形要素の一部が含まれるかどうかを判定し（ステップＳ１９）、その一部が含まれる図形要素がある場合は、これを接続図形要素として抽出する。次に、抽出された図形要素について、それが線分、円等のように設備を表現した図形要素である場合は、それを検索対象リストへ保持する（ステップＳ１５）。一方、それが開閉器等のように設備を表現した図形要素の場合は、その設備の現状態に基づき、例えば開閉状態などを抽出する。ここで、その設備が開状態であれば、その設備を起点とした検索は中止する。一方閉状態であれば検索対象リストへ保持する。検索対象リストのデータが無くなるまで前記処理を繰り返す（ステップＳ１６）。前記処理終了後、レイヤ２を表示モードへする。
【００２２】
実施の形態３によれば、開状態のシンボルは非表示のため、領域近傍には含まれることはなく、設備の現状態を確認する必要がないため、実施の形態２で記載した方法と比較して、より高速に充停電状態判定を行える利点がある。
【００２３】
実施の形態４．
図７は、この発明の実施の形態４による作業停電操作手順作成支援装置のシミュレーションパターン設定（方法１）を示す図であり、作業停電時の充停電状態シミュレーションに先立ち実施されるシミュレーションパターン設定方法の例を示している。図７は、作業停電手順生成部１９の動作である。
図７に示されるとおり、図面を用いて各設備の操作状態を個別に、かつ対話的に設定する方法である。図面上で操作設定対象の設備に対応した図形要素を選択し、その設備に対する操作状態（例えば、閉→開または開→閉等）に応じて、各操作に対応した図形要素を表示することにより、操作内容を視覚的に確認できる。
【００２４】
実施の形態４によれば、操作内容を視覚的に確認しながら、設備に対する操作設定を行うことができる。
【００２５】
実施の形態５．
図８は、この発明の実施の形態５による作業停電操作手順作成支援装置のシミュレーションパターン設定（方法２）を示す図であり、作業停電時の充停電状態シミュレーションに先立ち実施される、シミュレーションパターン設定方法の例を示している。図８の過去に設定されたパターンの提示は、設定パターン提示部１８によるものである。
図８に示す通り、過去に実行されたシミュレーションパターンを参考にパターンを設定する方法である。過去のシミュレーションパターンに基づき、例えば開状態の設備は、開状態を表現した図形要素を、閉状態の設備は、閉状態を表現した図形要素をそれぞれ用いて、各パターンにおける設備の設定状態を図面へ反映することにより、パターンの内容を視覚的に確認できる。
【００２６】
実施の形態５によれば、過去のシミュレーションパターンを用いて、設備に対する操作設定を行うことができる。
【００２７】
実施の形態６．
図９は、この発明の実施の形態６による作業停電操作手順作成支援装置のシミュレーションパターンの妥当性チェック（方法１）を示す図であり、作業停電時の充停電状態シミュレーションに先立ち実施される、設備に対するシミュレーションの妥当性チェック方法の例を示している。図９は、操作可否判定部１６の動作である。
設備の操作状態を設定する際、例えば図９に示すインタロック条件などのような、その操作に対する前提条件を参照し、その条件が満たされているか否かを判定する。条件を満たしていない操作を設定する場合、図９に示すようなメッセージにより、その旨を提示する。
【００２８】
実施の形態６によれば、シミュレーションにより、設備に対する操作設定の妥当性をチェックするので、誤操作を伴なう設定を避けることが可能となる。
【００２９】
実施の形態７．
図１０は、この発明の実施の形態７による作業停電操作手順作成支援装置のシミュレーションパターンの妥当性チェック（方法２）を示す図であり、作業停電時の充停電状態シミュレーションに先立ち実施される、設備に対するシミュレーションパターンの妥当性チェック方法の例を示している。図１０は、操作可否判定部１６の動作である。
図１１は、この発明の実施の形態７による作業停電操作手順作成支援装置のシミュレーションパターンの妥当性チェック（方法２）を示すフローチャートである。
設備の操作状態を設定する際、例えば図９に示すインタロック条件などのような、その操作に対する前提条件を参照し、その条件が満たされているか否かを判定する。条件を満たしていない操作を設定する場合、図１０に示すようなメッセージによりその旨を提示する。これにより、例えばインタロックを解除する等の操作前処理が必要である旨が操作者へ提示される。このメッセージを了承して設定を行なう場合、設備の操作状態と操作前処理の内容を組み合わせて、例えば作業帳票等のような現場作業時に用いる情報として提示する。
【００３０】
次に図１１のフローチャートについて説明する。
まず、図面上で設備操作状態を設定する（ステップＳ２１）。次いで、操作対象となる設備の設定状態を抽出する（ステップＳ２２）。操作内容に応じた設備操作条件（例、インタロックなどの操作前処理の必要性の有無）を抽出する（ステップＳ２３）。次に、設備操作条件（例、インタロックなどの操作前処理）を満たすかどうかの判定において、他の設備の現状態を抽出する必要があるかどうかを判定する（ステップＳ２４）。必要がある場合には、他の設備の現状態を抽出し（ステップＳ２５）、操作条件を満たすかどうかを論理演算により判定する（ステップＳ２６）。操作条件を満たしていれば、図面上での操作対象設備の状態を変更して、終了する（ステップＳ２７）。操作条件を満たしていなければ、操作条件エラーに従い再設定するかどうかを判断し（ステップＳ２８）、再設定する場合には、ステップＳ２１に行き、再設定しない場合には、インタロック解除などの操作前処理（操作前作業）の内容を作業内容へ反映して、終了する（ステップＳ２９）。ステップＳ２４で、他の設備の現状態を抽出する必要がない場合には、ステップＳ２７に行く。
【００３１】
実施の形態７によれば、設備に対する操作設定の妥当性がない場合に、妥当なものにするために必要な操作前処理を提示するので、スムーズにかつ誤操作なく現場作業を行なうことが可能となる。
【００３２】
実施の形態８．
図１２は、この発明の実施の形態８による作業停電操作手順作成支援装置の作業停電時における現場での作業支援（方法１）を示す図である。
この現場での作業支援は、設備情報抽出部１５によって行われる。
例えば、電力プラント等の大規模プラントにおいては、プラントの安全性確保のために操作対象の設備を正確に特定する必要がある。そこで、デジタルカメラ等で撮影された現場写真や機器配置図から提示される位置情報を用いて、その設備の特定を支援する。前記のような設備に関わる情報と図面内の対応する図形要素を紐付けすることにより、例えば図面内の図形要素を選択して、それに関連する設備情報を参照することが可能である。
【００３３】
実施の形態８によれば、図面内の図形要素を選択して、それに関連する設備情報を参照することが可能であり、操作対象設備の特定を正確に行うことができる。
【００３４】
実施の形態９．
図１３は、この発明の実施の形態９による作業停電操作手順作成支援装置の作業停電時における現場での作業支援（方法２）を示す図である。
電力プラント設備においては、例えば電動弁には電源及びスイッチなどが付随しており、操作時は予め定められた手順に従い操作することが必須である。しかし、非熟練の保守員による操作においては、過った手順を実行する場合があるため、作業手順を撮影したビデオを参考にすることにより、非熟練の保守員でも安全にかつスムーズに作業を進めることができる。
【００３５】
実施の形態９によれば、作業手順を撮影したビデオを参考にすることにより、非熟練の保守員でも安全にかつスムーズに作業を進めることができる。
【００３６】
【発明の効果】
この発明は、以上説明したように、設備をＣＡＤシンボルによって表わしたＣＡＤ図面を表示する図面表示部と、設備の状態を抽出する設備状態抽出部と、ＣＡＤ図面の幾何的情報から設備間の接続状態を判定すると共に判定された設備間の接続状態及び設備状態抽出部によって抽出された設備の状態から設備の充停電状態を判定する充停電判定部と、充停電判定部によって判定された設備の充停電状態に基づき、図面表示部に表示されたＣＡＤ図面を用いて、設備に対する操作設定を行い、作業停電範囲を特定する作業停電手順作成部を備えたので、図面上での接続関係に基づき、従来生成していた設備間の接続情報を用いることなく、既存のＣＡＤ図面を用いて作業停電範囲を特定することができる。
【００３７】
また、設備をＣＡＤシンボルによって表わしたＣＡＤ図面の幾何的情報を用いて判定された設備間の接続状態及び設備状態抽出部によって抽出された設備の状態から設備の充停電状態を判定し、判定された設備の充停電状態に基づき、ＣＡＤ図面を用いて、設備に対する操作設定を行い、作業停電範囲を特定するので、図面上での接続関係に基づき、従来生成していた設備間の接続情報を用いることなく、既存のＣＡＤ図面を用いて作業停電範囲を特定することができる。
【図面の簡単な説明】
【図１】この発明の実施の形態１による作業停電操作手順作成支援装置の全体構成を示すブロック図である。
【図２】この発明の実施の形態２による作業停電操作手順作成支援装置の充停電状態判定（方法１）を示すフローチャートである。
【図３】この発明の実施の形態２による作業停電操作手順作成支援装置の充停電状態判定を開始するシンボルの選択例を示す図である。
【図４】この発明の実施の形態２による作業停電操作手順作成支援装置の領域近傍の例を示す図である。
【図５】この発明の実施の形態３による作業停電操作手順作成支援装置の充停電状態判定（方法２）を示すフローチャートである。
【図６】この発明の実施の形態３による作業停電操作手順作成支援装置の充停電状態判定（方法２）におけるレイヤ制御の例を示す図である。
【図７】この発明の実施の形態４による作業停電操作手順作成支援装置のシミュレーションパターン設定（方法１）を示す図である。
【図８】この発明の実施の形態５による作業停電操作手順作成支援装置のシミュレーションパターン設定（方法２）を示す図である。
【図９】この発明の実施の形態６による作業停電操作手順作成支援装置のシミュレーションパターンの妥当性チェック（方法１）を示す図である。
【図１０】この発明の実施の形態７による作業停電操作手順作成支援装置のシミュレーションパターンの妥当性チェック（方法２）を示す図である。
【図１１】この発明の実施の形態７による作業停電操作手順作成支援装置のシミュレーションパターンの妥当性チェック（方法２）を示すフローチャート図である。
【図１２】この発明の実施の形態８による作業停電操作手順作成支援装置の作業停電時における現場での作業支援（方法１）を示す図である。
【図１３】この発明の実施の形態９による作業停電操作手順作成支援装置の作業停電時における現場での作業支援（方法２）を示す図である。
【符号の説明】
１１　図面表示部
１２　領域近傍生成部
１３　設備状態抽出部
１４　充停電状態判定部
１５　設備情報抽出部
１６　操作可否判定部
１７　設定パターン保存部
１８　設定パターン提示部
１９　作業停電手順作成部
【図１】
2004135394.tif 000003
【図２】
2004135394.tif 000004
【図３】
2004135394.tif 000005
【図４】
2004135394.tif 000006
【図５】
2004135394.tif 000007
【図６】
2004135394.tif 000008
【図７】
2004135394.tif 000009
【図８】
2004135394.tif 000010
【図９】
2004135394.tif 000011
【図１０】
2004135394.tif 000012
【図１１】
2004135394.tif 000013
【図１２】
2004135394.tif 000014
【図１３】
2004135394.tif 000015